(57)【特許請求の範囲】
【請求項１】
遮蔽装置の遮蔽材を巻き取るための巻取軸を回転自在に収容する巻取軸収容装置であって、
前記巻取軸の両端を支持する一対の側面ブラケットと、
前記一対の側面ブラケット同士を連結する連結部と、
を備え、
前記側面ブラケットは、ベース部と、前記巻取軸の端部を軸支する軸受部と、を有し、
少なくとも前記巻取軸の一端側を支持する前記軸受部が可動軸受部であることによって、前記巻取軸端部を離脱不能とする第１の状態と、前記巻取軸端部を離脱可能とする第２の状態と、が切替可能であり、
前記可動軸受部は、前記巻取軸端部を離脱不能に支持する軸孔と、前記軸孔の端部から前記巻取軸の方向に延びる延設片と、を有し、
前記第２の状態のとき、前記延設片によって前記巻取軸の一端側を支持することを特徴とする、遮蔽装置の巻取軸収容装置。
【請求項２】
前記可動軸受部には、前記軸孔の端部から前記延設片とは反対方向に延び、前記可動軸受部を操作するための操作軸が設けられ、
前記操作軸は、前記ベース部に対して軸方向に摺動自在に設けられ、
前記操作軸が前記ベース部に対して軸方向に摺動することで、前記可動軸受部が前記第１の状態と前記第２の状態とに切り替わることを特徴とする、請求項１に記載の遮蔽装置の巻取軸収容装置。
【請求項３】
前記操作軸又は前記ベース部にはカム面が形成され、
前記操作軸を回転させると、前記カム面によって前記操作軸が前記ベース部から回転しながら引き出されることを特徴とする、請求項２に記載の遮蔽装置の巻取軸収容装置。
【請求項４】
前記巻取軸の他端側を支持する前記側面ブラケットは、前記軸受部に近接して前記巻取軸側に突出する支持片が設けられ、
前記支持片は、前記巻取軸の前記遮蔽材が巻き取られる巻取面を支持することを特徴とする、請求項１〜３のいずれかに記載の遮蔽装置の巻取軸収容装置。
【請求項５】
遮蔽装置の遮蔽材を巻き取るための巻取軸を回転自在に収容する巻取軸収容装置であって、
前記巻取軸の両端を支持する一対の側面ブラケットと、
前記一対の側面ブラケット同士を連結する連結部と、
を備え、
前記側面ブラケットは、ベース部と、前記巻取軸の端部を軸支する軸受部と、を有し、
少なくとも前記巻取軸の一端側を支持する前記軸受部が可動軸受部であることによって、前記巻取軸端部を離脱不能とする第１の状態と、前記巻取軸端部を離脱可能とする第２の状態と、が切替可能であり、
前記巻取軸の他端側を支持する前記側面ブラケットは、前記軸受部に近接して前記巻取軸側に突出する支持片が設けられ、
前記支持片は、前記巻取軸の前記遮蔽材が巻き取られる巻取面を支持することを特徴とする、遮蔽装置の巻取軸収容装置。
【請求項６】
前記可動軸受部は、前記ベース部に対して軸方向に摺動自在に設けられ、
前記可動軸受部が巻取軸の軸方向に移動することで、前記第１の状態と前記第２の状態とが切り替わることを特徴とする、請求項１〜５のいずれかに記載の遮蔽装置の巻取軸収容装置。
【発明の詳細な説明】
【技術分野】
【０００１】
本発明は、日射遮蔽、防虫、防塵またはクリーンルーム等の用途として設置される遮蔽装置に使用される遮蔽材を巻き取るための巻取軸を収容する巻取軸収容装置に関する。
【背景技術】
【０００２】
従来の遮蔽装置の遮蔽材としてのスクリーンを巻き取るための巻取軸取付構造としては、特開２００４−１９０２２５号公報（特許文献１）に示されるものがある。同文献には、建物の開口枠に固定するための巻取りボックスと、巻取りボックス内に支持された巻取り軸と、一端が巻取り軸に保持されたスクリーンとを備え、巻取り軸の両端からは支持軸が突設され、巻取りボックスは、支持軸を抜脱可能に支持するための軸受穴が形成された一対のブラケットと、スクリーンの導出方向に開口する開口部とを備えており、少なくとも一方のブラケットにおける軸受穴の側壁には、軸受穴から支持軸を離脱させるための切欠口が、巻取りボックスの開口部側に向けて開設されていることが開示される。
【０００３】
これによれば、巻取り軸に対してスクリーンの導出方向、すなわち巻取りボックスの開口部方向に所定以上の力が作用すると、一方の支持軸を支持する軸受穴の切欠口が変形によって拡開されて、一方の支持軸が軸受穴から離脱すると同時に、他方の支持軸が軸受穴から抜脱することにより、巻取り軸が開口部を通じて巻取りボックスから離脱することができ、巻取りボックスの開口部から巻取り軸の他方の支持軸を軸受穴に挿入し、一方の支持軸を軸受穴の切欠口から押し込むことにより、巻取り軸を巻取りボックスに回転可能に支持させることができる。
【先行技術文献】
【特許文献】
【０００４】
【特許文献１】特開２００４−１９０２２５号公報
【発明の概要】
【発明が解決しようとする課題】
【０００５】
しかしながら、特許文献１に開示される構造では、巻取り軸と巻取りボックスへの支持にあたっては、軸受穴の切欠口が変形して拡開することで支持軸が抜脱するようになっており、切欠口の弾性変形を利用しているため、切欠口や軸受穴が破損してしまう恐れがある。また、支持軸を抜脱するための係合力については、通常操作では外れずに所定量以上の力が作用したときのみ外れる必要があるため、その係合力の調整が難しく、巻取軸を取り外したり取り付けたりする作業が煩雑になるという課題があった。
【０００６】
そこで本発明は、このような問題に鑑みてなされたもので、その目的とするところは、巻取軸を取り外したり取り付けたりする作業を容易にすることの可能な遮蔽装置の巻取軸収容装置を提供することにある。
【課題を解決するための手段】
【０００７】
上記課題を解決するために、本発明によれば、遮蔽装置の遮蔽材を巻き取るための巻取軸を回転自在に収容する巻取軸収容装置であって、前記巻取軸の両端を支持する一対の側面ブラケットと、前記一対の側面ブラケット同士を連結する連結部と、を備え、前記側面ブラケットは、ベース部と、前記巻取軸の端部を軸支する軸受部と、を有し、少なくとも前記巻取軸の一端側を支持する前記軸受部が可動軸受部であることによって、前記巻取軸端部を離脱不能とする第１の状態と、前記巻取軸端部を離脱可能とする第２の状態と、が切替可能であることを特徴とする、遮蔽装置の巻取軸収容装置が提供される。
【０００８】
かかる構成によれば、少なくとも巻取軸の一端側を支持する軸受部が可動軸受部であり、これによって、巻取軸端部を離脱不能とする第１の状態と、巻取軸端部を離脱可能とする第２の状態と、を切替えることが可能である。このようにして、巻取軸を取り外したり取り付けたりする作業を容易にすることが可能である。
【０００９】
本発明は様々な応用が可能である。例えば、前記可動軸受部は、前記ベース部に対して軸方向に摺動自在に設けられ、前記可動軸受部が巻取軸の軸方向に移動することで、前記第１の状態と前記第２の状態とが切り替わるようにしてもよい。可動軸受部をベース部に対して軸方向に摺動自在に設けることで、巻取軸端部を離脱不能とする第１の状態と、巻取軸端部を離脱可能とする第２の状態とを切替えることが可能である。
【００１０】
また、前記可動軸受部は、前記巻取軸端部を離脱不能に支持する軸孔と、前記軸孔の端部から前記巻取軸の方向に延びる延設片と、を有し、前記第２の状態のとき、前記延設片によって前記巻取軸の一端側を支持するようにしてもよい。可動軸受部に軸孔の端部から巻取軸の方向に延びる延設片を形成することで、巻取軸の一端部を延設片によって移動可能に支持することができる。
【００１１】
また、前記可動軸受部には、前記軸孔の端部から前記延設片とは反対方向に延び、前記可動軸受部を操作するための操作軸が設けられ、前記操作軸は、前記ベース部に対して軸方向に摺動自在に設けられ、前記操作軸が前記ベース部に対して軸方向に摺動することで、前記可動軸受部が前記第１の状態と前記第２の状態とに切り替わるようにしてもよい。操作軸を側面ブラケットに対して巻取軸方向とは反対方向に引き出すことによって、可動軸受部を軸方向に摺動させ、第１の状態と第２の状態とに切り替わることができる。巻取軸を巻取軸収容装置に収容した状態のまま、第１の状態と第２の状態とを切り替えることができる。
【００１２】
また、前記操作軸又は前記ベース部にはカム面が形成され、前記操作軸を回転させると、前記カム面によって前記操作軸が前記ベース部から回転しながら引き出されるようにしてもよい。操作軸あるいは側面ブラケットにはカム面を形成することで、操作軸を回転させると、操作軸が側面ブラケットから回転しながら引き出され、可動軸受部を軸方向に摺動させることができる。
【００１３】
前記巻取軸の他端側を支持する前記側面ブラケットは、前記軸受部に近接して前記巻取軸側に突出する支持片が設けられ、前記支持片は、前記巻取軸の前記遮蔽材が巻き取られる巻取面を支持するようにしてもよい。巻取軸の他端側を支持する側面ブラケットに支持片を設けることで、支持片は巻取軸の遮蔽材が巻き取られる巻取面を支持できるため、巻取軸の他端側を軸受部に抜き差しする作業が容易となる。
【発明の効果】
【００１４】
本発明によれば、巻取軸を取り外したり取り付けたりする作業を容易にすることが可能な遮蔽装置の巻取軸収容装置が提供される。本発明のその他の効果については、後述する発明を実施するための形態においても説明する。
【図面の簡単な説明】
【００１５】
【図１】巻取軸収容装置２００を採用した遮蔽装置１００の全体構成を概略的に示した図である。
【図２】遮蔽装置１００の使用状態を示し、（ａ）はスクリーンを巻き取った状態の側面図であり、（ｂ）はスクリーンを引き出した状態の側面図である。
【図３】巻取軸収容装置２００を使用時の状態から上下方向に１８０°反転させた図である。
【図４】一方の側面ブラケット２１０を分解した状態を示す斜視図である。
【図５】可動軸受部２１２が離脱不能状態のときの一方の側面ブラケット２１０を示し、（ａ）は一方の側面ブラケット２１０を外側から見た図であり、（ｂ）は一方の側面ブラケット２１０を内側から見た図である。
【図６】可動軸受部２１２が離脱可能状態のときの一方の側面ブラケット２１０を示し、（ａ）は一方の側面ブラケット２１０を外側から見た図であり、（ｂ）は一方の側面ブラケット２１０を内側から見た図である。
【図７】離脱不能状態の一方の側面ブラケット２１０を示し、（ａ）は外側から見た図であり、（ｂ）は横から見た図であり、（ｃ）は内側から見た図である。
【図８】離脱可能状態の一方の側面ブラケット２１０を示し、（ａ）は外側から見た図であり、（ｂ）は横から見た図であり、（ｃ）は内側から見た図である。
【図９】他方の側面ブラケット２２０を説明するための図であり、（ａ）は支持片２２３からアダプタ２２４が取り外された状態を示し、（ｂ）は支持片２２３にアダプタ２２４が取り付けられた状態を示す。
【図１０】他方の側面ブラケット２２０を説明するための図であり、（ａ）は巻取軸１１０の径寸法が大きいときの状態を示し、（ｂ）は巻取軸１１０の径寸法が小さいときの状態を示す。
【図１１】他方の側面ブラケット２２０を説明するための図であり、（ａ）は一方の側面ブラケット２１０を取り外した状態を示し、（ｂ）は巻取軸１１０の他端側を見た図である。
【図１２】巻取軸収容装置２００に巻取軸１１０を取り付ける手順を説明するための図であり、（ａ）は巻取軸収容装置２００に巻取軸１１０の一端側を挿入した状態を示し、（ｂ）は巻取軸１１０の一端側を軸孔２１２ａに挿入した状態を示し、（ｃ）は巻取軸１１０の他端側を軸受部２２２に支持させた状態を示し、（ｄ）は巻取軸１１０を巻取軸収容装置２００に取り付けた状態を示す。
【発明を実施するための形態】
【００１６】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１７】
本実施形態の巻取軸収容装置２００を採用した遮蔽装置１００の全体の構成について図１を参照しながら説明する。図１は巻取軸収容装置２００を採用した遮蔽装置１００の全体構成を概略的に示した図である。本実施形態では、遮蔽装置１００は、建物の屋外、例えばベランダに設置されるロールスクリーンとして説明する。ただし、本発明はこの例に限定されるものではなく、例えば、遮蔽装置を屋内に設置してもよい。
【００１８】
遮蔽装置１００は、図１に示したように、巻取軸収容装置２００と、巻取軸収容装置２００に回転自在に収容される巻取軸１１０と、巻取軸１１０に巻き取り及び巻き解き可能に上端が連結されるスクリーン１２０と、スクリーン１２０の下端の全長に亘って連結されてスクリーン１２０に張力を与えるウエイトバー１３０と、ウエイトバー１３０から垂下するプルコード１４０と、ウエイトバー１３０を固定する固定装置１５０と、を備えて固定される。
【００１９】
以下、本実施形態の遮蔽装置１００の各構成要素について、図１及び図２を参照しながら説明する。
【００２０】
巻取軸収容装置２００は、図２に示したように、取り付け用ブラケット１６０を介して窓よりも上方の外壁３００に固定されている。巻取軸１１０は、図１に示したように、巻取軸収容装置２００に、両端が回転自在に支持されている。スクリーン１２０は、図１に示したように、上端が巻取軸１１０に連結されており、巻取軸１１０に巻き取り及び巻き解かれる。スクリーン１２０は、巻取軸１１０に巻き取られると、図２（ａ）に示したように、巻取軸収容装置２００に収容され、巻取軸１１０から巻き解かれると、図２（ｂ）に示したように、巻取軸収容装置２００から引き出される。
【００２１】
ウエイトバー１３０は、図１に示したように、スクリーン１２０の下端の全長に亘って連結され、スクリーン１２０に張力を与えるものである。ウエイトバー１３０は、図２（ａ）に示したように、スクリーン１２０が巻取軸収容装置２００に収容されているときは、巻取軸収容装置２００の下端に当接する位置まで上昇している。プルコード１４０は、図１に示したように、ウエイトバー１３０の長手方向における中央の位置から垂下している。使用者はこのプルコード１４０を持って引き下げることによってスクリーン１２０を引き出すことができる。
【００２２】
固定装置１５０は、ウエイトバー１３０を固定するものであり、図１に示したように、ウエイトバー１３０の長手方向の両端部の近傍に設けられる。固定装置１５０は、図２にしたように、窓よりも下方の外壁３１０に固定されており、先端には下方に突出する突出部１５１が形成されている。固定装置１５０は、図２（ｂ）に示したように、スクリーン１２０が窓を覆う位置まで引き出された状態において、ウエイトバー１３０の上方から内部に突出部１５１が挿入されることによってウエイトバー１３０を固定する。
【００２３】
次に、本実施形態の特徴的な構成である巻取軸収容装置２００について、図３を参照しながら説明する。巻取軸収容装置２００は、遮蔽装置１００のスクリーン１２０を巻き取るための巻取軸１１０を回転自在に収容するものである。巻取軸収容装置２００は、図３に示したように、巻取軸１１０の両端を支持する一対の側面ブラケット２１０、２２０と、一対の側面ブラケット２１０、２２０同士を連結するカバー体（連結部）２３０と、を備える。そして、一対の側面ブラケット２１０、２２０は、ベース部２１１、２２１と、巻取軸１１０の端部を軸支する軸受部２１２、２２２と、を有し、少なくとも巻取軸１１０の一端側を支持する軸受部２１２が可動軸受部２１２であり、可動軸受部２１２は、巻取軸１１０を離脱不能とする離脱不能状態（第１の状態）と、巻取軸１１０を離脱可能とする離脱可能状態（第２の状態）と、に切替可能であることを特徴とする。
【００２４】
以下、巻取軸収容装置２００の各構成要素について、主に図４〜図８を参照しながら説明する。
【００２５】
（側面ブラケット２１０）
一対の側面ブラケット２１０、２２０は、図４〜図６に示したように、構成がそれぞれ異なっている。一対の側面ブラケット２１０、２２０のうちの一方の側面ブラケット２１０は、巻取軸１１０の一方の端部を支持するものであり、図４〜図６に示したように、ベース部２１１と、可動軸受部２１２と、状態切替部材２１３を備えて構成される。
【００２６】
（ベース部２１１）
ベース部２１１は、カバー部２３０の一端に連結されるものであり、図４に示したように、板状に構成されている。ベース部２１１の中央には可動軸受部２１２が摺動可能に嵌め合わされる摺動穴２１１ａが形成されている。摺動穴２１１ａの周面の略１８０°離間した２か所に、カム面が形成されたカム溝２１１ｂが形成されている。カム溝２１１ｂは摺動穴２１１ａの周面に沿って斜めに形成されている。
【００２７】
また、ベース部材２１１の外側の壁面には、図４に示したように、摺動穴２１１ａの縁部から径方向に方形状の方形溝２１１ｃが形成されている。方形溝２１１ｃには、方形溝２１１ｃに沿って移動可能に状態切替部材２１３が挿入されている。状態切替部材２１３の詳細については後述する。
【００２８】
（可動軸受部２１２）
可動軸受部２１２は、巻取軸１１０の一端側を回転自在に支持するものである。可動軸受部２１２は、図５及び図６に示したように、ベース部２１１の摺動穴２１１ａに嵌め合わされて、軸方向に摺動自在に設けられる。可動軸受部２１２は、図５に示したように、ベース部２１１に押し込まれるときに（すなわち、軸受部２２２に近づく方向に移動したときに）、巻取軸１１０を離脱不能とする離脱不能状態になる。また、可動軸受部２１２は、図６に示したように、ベース部２１１から引き出されるときに（すなわち、軸受部２２２から遠ざかる方向に移動したときに）、巻取軸１１０を離脱可能とする離脱可能状態になる。
【００２９】
可動軸受部２１２は、図５（ａ）及び図６（ａ）に示したように、巻取軸１２０の端部を回転自在にかつ離脱不能に支持する軸孔２１２ａと、軸孔２１２ａの端部から巻取軸１２０の方向に延びる延設片２１２ｂと、を有する。延設片２１２ｂは、可動軸受部２１２が離脱可能状態のときに、巻取軸２１２の一端側を支持する。
【００３０】
また、可動軸受部２１２は、図５（ｂ）及び図６（ｂ）に示したように、延設片２１２ｂとは軸方向において反対方向に延びる略円筒状の操作軸部（操作軸）２１２ｃを有している。軸孔２１２ａと延設片２１２ｂとは一体に形成されており、一体に形成された軸孔２１２ａと延設片２１２ｂとを操作軸部２１２ｃにねじ２１２ｇで固定することによって可動軸受部２１２を構成している。操作軸部２１２ｃは、ベース部２１１の摺動穴２１１ａに軸方向に摺動可能に嵌め合わされており、軸孔２１２ａの操作軸部２１２ｃ側端部には、周面から突出する左右一対の拡径片２１２ｈが設けられており、各拡径片２１２ｈはベース部２１１からの抜け止めとして作用する。
【００３１】
操作軸部２１２ｃには、図４に示したように、外周面の略１８０°離間した２箇所に、カム面Ｃが形成されたリブ２１２ｄが形成されている。リブ２１２ｄは、操作軸部２１２ｃの軸孔２１２ａ側の端部から他方の端部に向かって直線状に軸方向に延びた後に、円周方向において傾斜したカム面Ｃが形成されている。リブ２１２ｄのカム面Ｃは、ベース部２１１のカム溝２１１ｂに沿った形状となっている。
【００３２】
操作軸部２１２を回転させると、図５に示したように、カム溝２１１ｂによってリブ２１２ｄが案内されて、操作軸部２１２がベース部２１１から回転しながら軸方向に移動する。よって、可動軸受部２１２がベース部２１１から引き出される。
【００３３】
操作軸部２１２ｃの端部は、図４に示したように、他の部分よりも大径に構成されており、ベース部２１１の摺動穴２１１ａに入り込むことが防止されている。また、操作軸部２１２ｃの端部にはプラスの溝２１２ｅが設けられている。この溝２１２ｅにドライバーやコインなどを挿入して回転させることにより、可動軸受部２１２が回転する。操作軸部２１２ｃの端部には、状態切替部材２１３が嵌合する嵌合溝２１２ｆが形成されている。
【００３４】
（状態切替部材２１３）
状態切替部材２１３は、可動軸受部２１２を回転可能にする状態と、回転不能にする状態とを切り替えるものである。状態切替部材２１３は、図４に示したように、方形状の基部２１３ａと、基部２１３ａから突出した操作部２１３ｂと、から構成される。
【００３５】
操作部２１３ｂは、状態切替部材２１３を操作するためのものであり、操作部２１３ｂの表面には凸凹の滑り止めが形成されている。状態切替部材２１３は、図５に示したように、基部２１３ａがベース部２１１の方形溝２１１ｃに摺動可能に嵌め合わされる。
【００３６】
図５（ａ）に示したように、状態切替部材２１３を操作部２１３ｂが操作軸部２１２ｃの嵌合溝２１２ｆに嵌合する位置に移動すると、可動軸受部２１２が回転不能となる。一方、状態切替部材２１３を操作部２１３ｂが操作軸部２１２ｃの嵌合溝２１２ｆから離間した位置に移動すると、図６（ａ）に示したように、可動軸受部２１２が回転可能となる。
【００３７】
可動軸受部２１２の動作について図７及び図８を参照しながら説明する。図７は、巻取軸１１０の端部を離脱不能とする可動軸受部２１２の離脱不能状態を示し、図８は、巻取軸１１０の端部を離脱可能とする可動軸受部２１２の離脱可能状態を示す。
【００３８】
（離脱不能状態）
可動軸受部２１２が巻取軸１１０の端部を離脱不能とする離脱不能状態のとき、図７（ａ）に示したように、操作軸部２１２ｃの嵌合溝２１２ｆに状態切替部材２１３が嵌合している。よって、可動軸受部２１２はロックされた状態となっている。
【００３９】
また、可動軸受部２１２は、離脱不能状態のとき、図７（ｂ）に示したように、操作軸部２１２ｃがベース部２１１に押し込まれている（すなわち、対向する軸受部２２２の方向に最も突出している）。そして、操作軸部２１２ｃのリブ２１２ｄはベース部２１１のカム溝２１１ｂよりも対向する軸受部２２２の方向に配置されている。また、延設片２１２ｂは、図７（ｃ）に示したように、円周方向中央位置２１２ｂ１が可動軸受部２１２の鉛直方向の中心線から外れた位置に配置されているが、延設片２１２ｂの一端部近傍２１２ｂ２が可動軸受部２１２の鉛直方向の中心線に位置して軸受部として機能するようになっている。
【００４０】
（離脱可能状態）
可動軸受部２１２は、巻取軸１１０の端部を離脱可能とする離脱可能状態のとき、図８（ａ）に示したように、状態切替部材２１３を操作軸部２１２ｃから離間する方向に移動して、操作軸部２１２ｃの嵌合溝２１２ｆとの嵌合が解除されている。よって、可動軸受部２１２はロックが解除された状態となっている。このため、可動軸受部２１２は、プラスの溝２１２ｅにドライバーやコインなどが挿入されて回転可能とされる。
【００４１】
可動軸受部２１２が回転されると、図８（ｂ）に示したように、カム面Ｃとカム溝２１１ｂが当接し、カム面Ｃがカム溝２１１ｂに沿って移動する。このため、可動軸受部２１２の操作軸部２１２ｃがベース部２１１から引き出される方向に移動する（すなわち、対向する軸受部２２２から離間する方向に軸方向に移動する）。可動軸受部２１２は、操作軸部２１２ｃを回転させただけでは、カム面Ｃがカム溝２１１ｂに沿って移動した距離しかベース部２１１から引き出されない。
【００４２】
しかし、この移動によって、図８（ｂ）に示したように、操作軸部２１２ｃの端部がベース部２１１から突出する。よって、操作軸部２１２ｃの端部を持って可動軸受部２１２をベース部２１１から引き出すことができる。
【００４３】
操作軸部２１２ｃは、ベース部２１１から引き出されるときに、リブ２１２ｄがカム溝２１１ｂによって案内されて、回転することなく軸方向に直線的に引き出される。よって、操作軸部２１２ｃが引き出されても、延設片２１２ｂは、位置がずれることなく、円周方向中央位置２１２ｂ１が可動軸受部２１２の鉛直方向の中心線の位置に配置される状態が維持される。このため、延設片２１２ｂは、後述のように、巻取軸１１０の端部を支持することができる。可動軸受部２１２を引き出すことによって、可動軸受部２１２は巻取軸１１０を離脱可能とする離脱可能状態となる。
【００４４】
可動軸受部２１２の回転によって、延設片２１２ｂは、図８（ｃ）に示したように、円周方向中央位置２１２ｂ１が可動軸受部２１２の鉛直方向の中心線の位置に配置されて軸受部として機能する。よって、可動軸受部２１２を対向する軸受部２２２から離間する方向に軸方向に引き出しても、延設片２１２ｂが巻取軸１１０の端部を支持する。このため、巻取軸１１０が可動軸受部２１２から予想外に離脱することが防止される。
【００４５】
（側面ブラケット２２０）
一対の側面ブラケット２１０、２２０のうちの他方の側面ブラケット２２０は、巻取軸１１０の他方の端部を支持するものであり、図９に示したように、ベース部２２１、軸受部２２２、支持片２２３、アダプタ２２４を備えて構成される。なお、図９及び後述の図１０は、巻取軸収容装置２００から巻取軸１１０を着脱するときの状態であり、通常使用される巻取軸収容装置２００の状態から上下方向に１８０°反転させた状態である。
【００４６】
（ベース部２２１）
ベース部２２１は、カバー部２３０の他端に連結されるものであり、図９に示したように、板状に構成されている。
【００４７】
（軸受部２２２）
軸受部２２２はベース部２２１の略中央に固定されている。軸受部２２２は、可動軸受部２１２とは異なり、摺動しない。
【００４８】
（支持片２２３）
支持片２２３は、巻取軸収容装置２００から巻取軸１１０を着脱するときに、巻取軸１１０のスクリーン１２０が巻き取られる面であるスクリーン巻取面１１０ａを支持して、巻取軸１１０が落ちないようにするものである。支持片２２３は、図９（ａ）に示したように、軸受部２２２に近接した位置においてベース部２２１から対向する可動軸受部２１２の方向に突出して設けられている。スクリーン巻取面１１０ａが支持片２２３に支持されている状態では、巻取軸１１０の他端側１１２の高さは軸受部２２２とほぼ一致する高さになっている。
【００４９】
支持片２２３は、円弧状に形成されており、支持片２２３の幅方向中央位置には、突出方向に沿って直線状の溝２２３ａが形成されている。溝２２３ａはアダプタ２２４を着脱可能に取り付けるためのものである。
【００５０】
（アダプタ２２４）
アダプタ２２４は、巻取軸１１０の径寸法が小さくても巻取軸１１０を支持することができるようにしたものである。アダプタ２２４は、図９（ａ）に示したように、支持片２２３と略同形状に形成された支持片２２３に着脱可能なものである。アダプタ２２４の下部には略Ｔ字状の突条２２４ａが形成されている。アダプタ２２４は、図９（ｂ）に示したように、突条２２４ａが支持片２２３の溝２２３ａに嵌合することによって支持片２２３に取り付けられる。
【００５１】
支持片２２３とアダプタ２２４の使用方法について、図１０を参照しながら説明する。巻取軸１１０の径寸法が大きいときは、図１０（ａ）に示したように、支持片２２３のみを用いて巻取軸１１０のスクリーン巻取面１１０ａを支持する。一方、巻取軸１１０の径寸法が小さいときは、図１０（ｂ）に示したように、支持片２２３にアダプタ２２４を取り付け、アダプタ２２４によって巻取軸１１０のスクリーン巻取面１１０ａを支持する。
【００５２】
図１１は、側面ブラケット２２０を説明するための図であり、（ａ）は側面ブラケット２１０を取り外した状態を示し、（ｂ）は巻取軸１１０の他端側を見た図である。巻取軸収容装置２００の使用状態においては、図１１（ａ）、（ｂ）に示したように、支持片２２３及びアダプタ２２４は、巻取軸１１０の上方に配置されることになり、巻取軸１１０には接触しない。よって、巻取軸１１０の回転時に支持片２２３やアダプタ２２４から巻取軸１１０に抵抗が加えられることはない。また、支持片２２３及びアダプタ２２４は、巻取軸１１０の端部のみを支持する位置にあるため、巻取軸１１０に巻き取られたスクリーン１２０に干渉することもない。
【００５３】
（カバー体２３０）
カバー体２３０は、一対の側面ブラケット２１０、２２０同士を連結するものである。カバー体２３０は、図３に示したように、下部のみが開口されており、巻取軸１１０の前面、後面及び上面を覆う。
【００５４】
以上、本実施形態の巻取軸収容装置２００を採用した遮蔽装置１００の構成について説明した。次に、本実施形態の巻取軸収容装置２００に巻取軸１１０を取り付ける作業について、図１２を参照しながら説明する。図１２（ａ）〜（ｄ）は、巻取軸収容装置２００に巻取軸１１０を取り付ける手順を示す。以下、この手順に基づいて説明する。
【００５５】
なお、巻取軸収容装置２００に巻取軸１１０を取り付けるときは、前述のように、巻取軸収容装置２００を設置場所から取り外し、カバー体２３０の下部の開口が上方を向くように、机、床や地面などに置いて作業が行われる。図１２は、カバー体２３０の下部の開口が上方を向くように置いた巻取軸収容装置２００の状態である。
【００５６】
（１）図１２（ａ）に示したように、巻取軸収容装置２００を可動軸受部２１２がベース部２１１から引き出された状態にする。そして、巻取軸１１０の一端側１１１を巻取軸収容装置２００のカバー部２３０内に挿入する。
【００５７】
（２）次に、図１２（ｂ）に示したように、巻取軸１１０の一端側１１１を軸孔２１２ａに挿入し、巻取軸１１０の他端側１１２のスクリーン巻取面１１０ａを支持片２２３に載せる。
【００５８】
（３）次に、図１２（ｃ）に示したように、巻取軸１１０を他方の側面ブラケット２２０の方向に移動させて、巻取軸１１０の他端側１１２を軸受部２２２に支持させる。このとき、巻取軸１１０の一端側１１１は延設片２１２ｂに支持されているため、巻取軸１１０が径方向に移動することなく、軸方向に移動させることができる、よって、巻取軸１１０の他端側１１２を軸受部２２２に容易に支持させることができる。
【００５９】
（４）最後に、図１２（ｄ）に示したように、可動軸受部２１２をベース部２１１に押し込み、操作軸部２１２ｃを回転させ、巻取軸１１０の一端側１１１を軸孔２１２ａに挿入して支持させる。この後、状態切替部材２１３をスライドさせて嵌合溝２１２ｆに嵌合し、可動軸受部２１２をロックする。このようにして、巻取軸収容装置２００に巻取軸１１０が取り付けられる。
【００６０】
なお、巻取軸収容装置２００から巻取軸１１０を取り外す作業は、上記（１）〜（４）の作業を逆に行うことによって可能であるが、（４）から（３）へ作業が進んだ図１２（ｃ）の状態において、巻取軸１１０を一方の側面ブラケット２１０の方向に移動させることなく、巻取軸１１０の一端側１１１側を延設片２１２ｂから持ち上げ、あとから巻取軸１１０の他端側１１２側を軸受部２２２から持ち上げるようにして、巻取軸収容装置２００から巻取軸１１０を取り外すことも可能である。
【００６１】
（本実施形態の効果）
以上説明したように、本実施形態によれば、巻取軸１１０の一端側を支持する軸受部が可動軸受部２１２であり、これによって、巻取軸１１０の端部を離脱不能とする離脱不能状態と、巻取軸１１０の端部を離脱可能とする離脱可能状態と、を切替えることが可能である。このようにして、巻取軸１１０を取り外したり取り付けたりする作業を容易にすることが可能である。
【００６２】
また、可動軸受部２１２をベース部２１１に対して軸方向に摺動自在に設けることで、巻取軸１１０の端部を離脱不能とする離脱不能状態と、巻取軸端部を離脱可能とする離脱可能状態とを切替えることが可能である。
【００６３】
また、操作軸部２１２ｃをベース部２１１から引き出す（すなわち、巻取軸１１０の方向とは反対方向に引き出す）ことによって、可動軸受部２１２を軸方向に摺動させ、離脱不能状態と離脱可能状態とに切り替わることができる。巻取軸１１０を巻取軸収容装置２００に収容した状態のまま、第１の状態と第２の状態とを切り替えることができる。
【００６４】
また、操作軸部２１２ｃにカム面Ｃとベース部２１１にカム溝２１１ｂを形成することで、操作軸部２１２ｃを回転させると、操作軸部２１２ｃがベース部２１１から回転しながら引き出され、可動軸受部２１２を軸方向に摺動させることができる。
【００６５】
また、巻取軸１１０の他端側１１２を支持するベース部２２１に支持片２２３を設けることで、支持片２２３は巻取軸１１０のスクリーン巻取面１１０ａを支持できるため、巻取軸１１０の他端側１１２を軸受部２２２に抜き差しする作業が容易となる。
【００６６】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６７】
例えば、上記実施形態では、操作軸部２１２ｃとベース部２１１の両方にカム面（カム面Ｃ、カム溝２１１ｂを形成したが、本発明はこの例に限定されない。例えば、操作軸部２１２ｃとベース部２１１のどちらか一方にカム面を形成する構成としてもよい。
【００６８】
また、上記実施形態では、操作軸部２１２ｃがベース部２１１から引き出される構成を操作軸部２１２ｃとベース部２１１に形成したカム面によって構成したが、本発明はこの例に限定されない。例えば、操作軸部２１２ｃに雄ネジをベース部２１１に雌ネジを形成し、操作軸部２１２ｃを回転させることによって、ベース部２１１から軸方向に移動するようにしてもよい。また、操作軸部２１２ｃはベース部２１１から回転することなく単に軸方向に引き出される構成としてもよい。
【００６９】
また、上記実施形態では、巻取軸１１０を着脱するときに巻取軸収容装置２００を設置されているところから取り外して、上下方向を１８０°反転させる構成としたが、本発明はこの例に限定されない。例えば、巻取軸収容装置２００は設置したまま巻取軸１１０を着脱するようにしてもよい。
【００７０】
また、上記実施形態では、遮蔽材の一例としてスクリーン１２０としたが、本発明はこの例に限定されない。例えば、すだれ、網戸などでもよい。
【００７１】
また、上記実施形態では、離脱可能状態である第２の状態のとき、巻取軸の一端を支持する延設片を設けたが、本発明はこの例に限定されない。例えば、第２の状態のときに巻取軸の一端を支持する構成としなくてもよく、また、支持する構成を設けるとしても延設片に限定されない。
【００７２】
また、上記実施形態では、離脱可能状態である第２の状態のとき、巻取軸のスクリーン巻取面を支持する支持片を設けたが、本発明はこの例に限定されない。例えば、第２の状態のときに巻取軸のスクリーン巻取面を支持する構成としなくてもよく、また、支持する構成を設けるとしても支持片に限定されない。
【符号の説明】
【００７３】
１００  遮蔽装置
１１０  巻取軸
１１０ａ  スクリーン巻取面
１１１  一端側
１１２  他端側
１２０  スクリーン
１３０  ウエイトバー
１４０  プルコード
１５０  固定装置
１５１  突出部
１６０  取り付け用ブラケット
２００  巻取軸収容装置
２１０、２２０  側面ブラケット
２１１、２２１  ベース部
２１１ａ  摺動穴
２１１ｂ  カム溝
２１１ｃ  方形溝
２１２  可動軸受部
２１２ａ  軸孔
２１２ｂ  延設片
２１２ｂ１  円周方向中央位置
２１２ｂ２  一端部近傍
２１２ｃ  操作軸部
２１２ｄ  リブ
２１２ｅ  プラスの溝
２１２ｆ  嵌合溝
２１２ｇ  ねじ
２１２ｈ  拡径片
２１３  状態切替部材
２２２  軸受部
２２３  支持片
２２３ａ  溝
２２４  アダプタ
２２４ａ  突条
２３０  カバー体
３００  上方の外壁
３１０  下方の外壁
Ｃ  カム面
【図１】
0006630579.tif 000002
【図２】
0006630579.tif 000003
【図３】
0006630579.tif 000004
【図４】
0006630579.tif 000005
【図５】
0006630579.tif 000006
【図６】
0006630579.tif 000007
【図７】
0006630579.tif 000008
【図８】
0006630579.tif 000009
【図９】
0006630579.tif 000010
【図１０】
0006630579.tif 000011
【図１１】
0006630579.tif 000012
【図１２】
0006630579.tif 000013